(57)【要約】【課題】家庭内のテレビラック等の中にコンパクトに収納された上で、普通紙および普通紙以外の物体に印刷することのできるインクジェット記録装置を提供することを目的とする。【解決手段】インクジェット記録装置内に収納され、ＤＶＤディスクを載置するディスクトレイと、ディスクトレイの突出状態と収納状態を切り替える切り替えスイッチと、記録用紙を載置すると共にディスクトレイと略平行に設けられた給紙トレイとを備え、切り替えスイッチ、給紙トレイ、および、ディスクトレイへの操作は全てインクジェット記録装置の前面にて行なう構成とし、家庭内のテレビラック等の中にコンパクトに収納することを可能とした。【選択図】　図２
2004058297.tif 000002
【特許請求の範囲】
【請求項１】
インクジェット記録装置内に収納され、第一の記録媒体を載置する媒体保持板と、前記インクジェット記録装置に対して前記媒体保持板の外部への突出状態と収納状態を切り替える切り替えスイッチと、インクジェット記録装置内に収納されて第二の記録媒体を載置すると共に前記媒体保持板と略平行に設けられた媒体トレイと、前記媒体保持板を第一の方向、および前記第一の方向と逆向きの第二の方向に往復搬送する第一の搬送系と、前記第二の記録媒体を第一の方向に搬送する第二の搬送系と、前記第一の搬送系により前記第一の方向に沿って搬送される前記媒体保持板上の前記第一の記録媒体、および、前記第二の搬送系により搬送される前記第二の記録媒体に向かってインクを吐出する記録ヘッドとを備え、前記切り替えスイッチ、前記媒体トレイ、および、前記媒体保持板への操作は前記インクジェット記録装置の前面にて行なうことを特徴とするインクジェット記録装置。
【請求項２】
前記第一の搬送系と前記第二の搬送系は少なくとも１つの搬送ローラを共有することを特徴とする請求項１記載のインクジェット記録装置。
【請求項３】
前記第一の搬送系は、モータと、前記モータにより駆動されるピニオンと、前記ピニオンと噛合可能に前記媒体保持板に設けられたギアを含むことを特徴とする請求項１または請求項２記載のインクジェット記録装置。
【請求項４】
前記第二の搬送系は前記第二の記録媒体を専ら搬送するためのフィードローラ、および、拍車を備え、前記媒体保持板の搬送時には前記フィードローラ、および、拍車は前記媒体保持板と非接触となるように上昇し、前記第二の記録媒体の搬送時には前記フィードローラ、および、拍車は前記第二の記録媒体と接触するように下降することを特徴とする請求項１乃至請求項３のいずれかに記載のインクジェット記録装置。
【請求項５】
前記第一の搬送系および前記第二の搬送系は、前記搬送ローラと対向するピンチローラを備え、前記媒体保持板が前記第一の方向へ搬送される場合において前記媒体保持板の搬送方向先端部が前記搬送ローラと前記ピンチローラ間を通過する際に前記搬送ローラと前記ピンチローラ間の距離を前記媒体保持板の厚さよりも大きくすることを特徴とする請求項２乃至請求項４のいずれかに記載のインクジェット記録装置。
【請求項６】
前記第一の記録媒体および前記第二の記録媒体と前記記録ヘッドとの距離は、常に一定に維持されることを特徴とする請求項１乃至請求項５記載のインクジェット記録装置。
【請求項７】
前記媒体保持板および前記媒体トレイは、少なくとも前記記録ヘッドによる印刷開始時には前記インクジェット記録装置の内部に完全に収納されていることを特徴とする請求項１乃至請求項６のいずれかに記載のインクジェット記録装置。
【請求項８】
前記第一の記録媒体は、少なくとも光記録媒体、磁気記録媒体、電子記録媒体、プラスチックカード、樹脂製固形物、金属製固形物のいずれか１つを含むことを特徴とする請求項１乃至請求項７のいずれかに記載のインクジェット記録装置。
【発明の詳細な説明】
【０００１】
【発明の属する技術分野】
本発明は、光記録媒体や磁気記録媒体に印刷可能なインクジェット記録装置に関し、特に特定の一方向から必要な全ての操作を行うことができるインクジェット記録装置に関する。
【０００２】
【従来の技術】
近年、インクジェット記録装置（プリンタ）をコンピュータと接続するのみならず、たとえばテレビやＶＴＲなど他の機器と接続して使用するようになってきており、設置場所も机上からリビング等の人が集まる場所になりつつある。その場合、他の機器と積み重ねて使用することがあることを考慮して、インクカートリッジの着脱や記録用紙のセットおよび取り出しを装置の前面から行うものが提案されており、例えば特開２００１−１９１６１３号公報に記載のプリンタが知られている。
【０００３】
また、ＣＤ−ＲＯＭ等の携帯型データメディアに直接プリントするデジタル情報頒布システムが、例えば特開２００１−３１９０７４号公報に開示されている。
【０００４】
しかしながら、これら従来の装置では、ＣＤやＤＶＤ等のデータメディアと普通紙（記録用紙）の双方に印刷することが出来なかった。
【０００５】
そこで、特開２００２−１２７５２６号公報に開示された、従来の記録用紙とＣＤ等の双方に印刷できるインクジェット記録装置が考え出されたが、このインクジェット記録装置においては、光ディスク用トレイを給紙口から差し込んで排紙ギザを排紙ローラから離間させる構成としているため、操作者が光ディスク用トレイを給紙口から差し込む手間がかかる上、差し込まれた光ディスク用トレイの一部がインクジェット記録装置の外部へ突出するため場所を取るという問題点を有していた。
【０００６】
【発明が解決しようとする課題】
本発明は、上記従来の問題点に鑑み、家庭内のテレビラック等の中にコンパクトに収納された上で、ＣＤやＤＶＤ等のデータメディアに印刷することのできるインクジェット記録装置を提供することを目的とする。
【０００７】
【課題を解決するための手段】
本発明は上記目的を達成するために、インクジェット記録装置内に収納され、第一の記録媒体を載置する媒体保持板と、インクジェット記録装置に対して媒体保持板の外部への突出状態と収納状態を切り替える切り替えスイッチと、インクジェット記録装置内に収納されて第二の記録媒体を載置すると共に媒体保持板と略平行に設けられた媒体トレイと、媒体保持板を第一の方向、および第一の方向と逆向きの第二の方向に往復搬送する第一の搬送系と、第二の記録媒体を第一の方向に搬送する第二の搬送系と、第一の搬送系により第一の方向に沿って搬送される媒体保持板上の第一の記録媒体、および、前記第二の搬送系により搬送される第二の記録媒体に向かってインクを吐出する記録ヘッドとを備え、切り替えスイッチ、媒体トレイ、および、媒体保持板への操作はインクジェット記録装置の前面にて行なう構成とした。
【０００８】
また、第一の搬送系と第二の搬送系は少なくとも１つの搬送ローラを共有する構成としてもよい。
【０００９】
また、第一の搬送系は、モータと、モータにより駆動されるピニオンと、ピニオンと噛合可能に媒体保持板に設けられたギアを含む構成としてもよい。
【００１０】
また、第二の搬送系は第二の記録媒体を専ら搬送するためのフィードローラ、および、拍車を備え、媒体保持板の搬送時にはフィードローラ、および、拍車は媒体保持板と非接触となるように上昇し、第二の記録媒体の搬送時にはフィードローラ、および、拍車は第二の記録媒体と接触するように下降する構成としてもよい。
【００１１】
また、第一の搬送系および第二の搬送系は、搬送ローラと対向するピンチローラを備え、媒体保持板が第一の方向へ搬送される場合において媒体保持板の搬送方向先端部が搬送ローラとピンチローラ間を通過する際に搬送ローラとピンチローラ間の距離を媒体保持板の厚さよりも大きくする構成としてもよい。
【００１２】
また、第一の記録媒体および第二の記録媒体と記録ヘッドとの距離は、常に一定に維持される構成としてもよい。
【００１３】
また、媒体保持板および媒体トレイは、少なくとも記録ヘッドによる印刷開始時にはインクジェット記録装置の内部に完全に収納されている構成としてもよい。
【００１４】
また、第一の記録媒体は、少なくとも光記録媒体、磁気記録媒体、電子記録媒体、プラスチックカード、樹脂製固形物、金属製固形物のいずれか１つを含むようにしてもよい。
【００１５】
【発明の実施の形態】
本発明のインクジェット記録装置では、インクジェット記録装置内に収納され、第一の記録媒体としてのＤＶＤディスクを載置する媒体保持板としてのディスクトレイと、インクジェット記録装置に対してディスクトレイの外部への突出状態と収納状態を切り替える切り替えスイッチと、インクジェット記録装置内に収納されて第二の記録媒体としての記録用紙を載置すると共にディスクトレイと略平行に設けられた媒体トレイとしての給紙トレイと、ディスクトレイを第一の方向、および第一の方向と逆向きの第二の方向に往復搬送する第一の搬送系と、記録用紙を第一の方向に搬送する第二の搬送系と、第一の搬送系により第一の方向に沿って搬送されるディスクトレイ上のＤＶＤディスク、および、記録用紙に向かってインクを吐出する記録ヘッドとを備え、切り替えスイッチ、給紙トレイ、および、ディスクトレイへの操作はインクジェット記録装置の前面にて行なう構成とした。
【００１６】
また、第一の搬送系と第二の搬送系は少なくとも１つの搬送ローラを共有する構成としてもよい。
【００１７】
また、第一の搬送系は、モータと、モータにより駆動されるピニオンと、ピニオンと噛合可能にディスクトレイに設けられたギアを含む構成としてもよい。
【００１８】
また、第二の搬送系は記録用紙を専ら搬送するためのフィードローラ、および、拍車を備え、ディスクトレイの搬送時にはフィードローラ、および、拍車はディスクトレイと非接触となるように上昇し、記録用紙の搬送時にはフィードローラ、および、拍車は記録用紙と接触するように下降する構成としてもよい。
【００１９】
また、第一の搬送系および第二の搬送系は、搬送ローラと対向するピンチローラを備え、ディスクトレイが第一の方向へ搬送される場合においてディスクトレイの搬送方向先端部が搬送ローラとピンチローラ間を通過する際に搬送ローラとピンチローラ間の距離をディスクトレイの厚さよりも大きくする構成としてもよい。
【００２０】
また、ＤＶＤディスクおよび記録用紙と記録ヘッドとの距離は、常に一定に維持される構成としてもよい。
【００２１】
また、ディスクトレイおよび給紙トレイは、少なくとも記録ヘッドによる印刷開始時にはインクジェット記録装置の内部に完全に収納されている構成としてもよい。
【００２２】
また、第一の記録媒体はＤＶＤディスクの代わりに、光記録媒体、磁気記録媒体、電子記録媒体、プラスチックカード、樹脂製固形物、金属製固形物のいずれか１つ、またはこれらの組み合わせを使用してもよい。
【００２３】
以下、本発明の実施の形態について、関連する図面を用いて説明する。なお、これらの図面において実質的に同一の構成や機能を有する部材には同一の符号を付しており、それらに関する重複した説明は省略する。
【００２４】
図１は、給紙トレイ３とディスクトレイ７が収納された状態における本発明の実施の形態にかかるインクジェット記録装置１の外観を示す正面斜視図であり、図２は、ディスクトレイ７が装置外部へ突出した状態（以下、「着脱位置」という）におけるインクジェット記録装置１の外観を示す正面斜視図、図３は、記録用紙１３を載置した給紙トレイ３を最大に引き出した状態（以下、「給紙トレイ最大引き出し位置」という）におけるインクジェット記録装置１の外観を示す正面斜視図、図４は、インクジェット記録装置１の要部を示す要部斜視図である。
【００２５】
図１乃至図３において、インクジェット記録装置１の主操作面（前面）には電源スイッチ２、インク交換ボタン４、紙種設定ボタン５、リセットボタン６、ディスクトレイ７の突出状態と収納状態を切り替える切り替えスイッチとしてのディスクロージングスイッチ８、メモリーカード用スロット１０、ボタン４、５の状態を示すインジケーターランプ１２，１４、リモコン受光部１６、および、インクカートリッジ交換用蓋１８が設けられている。
【００２６】
図４に示すトレイガイド１１は、インクジェット記録装置１のハウジングに一体的に設けられており、媒体保持板としてのディスクトレイ７をガイドする。
【００２７】
図７に示すように、トレイガイド１１内にはディスクトレイ７が保持され、給紙トレイ３は給紙トレイガイド４００により保持されている。
【００２８】
更にディスクトレイ７上には、第一の記録媒体としてのＤＶＤディスク９が後述する所定の場所に位置決めされて載置されている。
【００２９】
トレイガイド１１と、ディスクトレイ７と、ＤＶＤディスク９との関係を示す部分拡大図を図８に示す。
【００３０】
図４は本発明の実施の形態におけるインクジェット記録装置１内の要部を示す要部斜視図であり、インクカートリッジ１５、及び、インクカートリッジ１５からインクが供給される記録ヘッド１９が設けられたキャリッジ１７がキャリッジシャフト２１および２３に支持されてキャリッジ１７の上下方向の高さが調節可能となっているとともに、図示しないタイミングプーリとタイミングベルト等の動力伝達手段を介して図示しないキャリッジモータにより駆動されて主走査方向（シャフト２１、２３に平行な方向）に往復動自在に設けられている。
【００３１】
インクカートリッジ１５、キャリッジ１７、記録ヘッド１９等、印刷に必要な具体的な構成は、例えば特願２００２−０３８１１７（同一出願人により平成１４年２月１５日提出）に開示されたものを採用してもよい。
【００３２】
ディスクトレイ７の端部にはギア部４３が設けられ、モータ４５に設けられたピニオン４７が係合することにより、モータ４５の駆動力がディスクトレイ７に伝達され、ＤＶＤディスク９を保持したディスクトレイ７はキャリッジシャフト２１、２３と直角方向（第一及び第二の方向）に搬送される。
【００３３】
次に、図５乃至図２４を用いて本実施の形態におけるインクジェット記録装置１の詳細な構成と作動を説明する。
【００３４】
まず、給紙トレイ３内の記録用紙１３への印刷を説明する。
【００３５】
媒体トレイとしての給紙トレイ３内には、第二の記録媒体としての記録用紙１３がセットされており、記録用紙１３はフィードローラとしてのピックアップローラ２５により１枚ずつピックアップされる。
【００３６】
このとき、給紙トレイ３の底板１１４は、図示しないリフトアップ機構により図２２、図２３に示すようにピックアップローラ２５に近い側が上方に持ち上げられ、ピックアップローラ２５と記録用紙１３が接触した状態でピックアップが行なわれる。
【００３７】
ピックアップされた記録用紙１３は、双方とも時計方向に回転するフィードローラ２７、２９により搬送され、ピンチローラ３１と搬送ローラとしてのメインローラ３３間で更なる搬送力を得る。
【００３８】
記録用紙１３の搬送精度を決定するメインローラ３３は、回転精度を測定するロータリーエンコーダ（図示せず）を同軸上に有している。
【００３９】
このロータリーエンコーダは、インクカートリッジ１５や記録用紙１３の挿抜を妨げない位置に設けられることが望ましい。
【００４０】
ピンチローラ３１とメインローラ３３間を通った記録用紙１３は、記録ヘッド１９から吐出されるインクにより所定の画像が記録された後、複数個の排紙ローラ３９、４１と拍車３５、３７の間を通り、インクジェット記録装置１の外部へ排出される。
【００４１】
複数個の拍車３５、３７により、記録用紙１３上へ吐出されるインクに触れる面積を出来るだけ小さくしてインク汚れを防止することができる。
【００４２】
尚、本実施の形態においては、第一の搬送系としてモータ４５、ピニオン４７、ピンチローラ３１、メインローラ３３を使用し、第二の搬送としてピックアップローラ２５、フィードローラ２７，２９、ピンチローラ３１、メインローラ３３、拍車３５、３７、排紙ローラ３９，４１を使用した。
【００４３】
次に、ＤＶＤディスク９への印刷を、図２４のフローチャートに沿って説明する。
【００４４】
まずインクジェット記録装置１の電源を投入すると、図２４のフローチャートに示すステップ１（ＳＴ１）においてディスクトレイ７が待機位置にて待機状態となる。
【００４５】
図５及び図６には、ディスクトレイ７をインクジェット記録装置１の内部に格納した状態にて印刷待機中の状態（このディスクトレイ７の位置を「待機位置」という）が示してあり、図６の要部拡大図を図９に示す。
【００４６】
次に、ステップ２（ＳＴ２）にて操作者がディスクロージングスイッチ８を投入すると、ステップ３（ＳＴ３）に進み、図１０に示すように、キャリッジ１７、ピックアップローラ２５、フィードローラ２７、拍車３５，３７が、図示しないモータとリンク機構により、所定の高さ（以下、この高さを「開放高さ」という）まで移動する。
【００４７】
この開放高さにおいては、記録ヘッド１９と拍車３５，３７はＤＶＤディスク９への印刷時における位置となっている。
【００４８】
その後、ステップ４（ＳＴ４）に進み、図１１に示すように、ピンチローラ３１がディスク引き込み高さまで上昇し、ステップ５（ＳＴ５）において、ディスクトレイ７がインクジェット記録装置１の前面方向（図１２の矢印方向）へ搬送される。
【００４９】
この際のディスクトレイ７の搬送は、モータ４５に設けられたピニオン４７が、ディスクトレイ７に設けられたギア４３と噛合することにより行なわれる。
【００５０】
次にステップ６（ＳＴ６）において、図１２に示すようにディスクトレイ７の先端がピンチローラ３１の下を通過したと判断すると、ステップ７（ＳＴ７）で図１３、図１５、図１６に示すように、ピンチローラ３１が下降してディスクトレイ７に接触し、メインローラ３３の回転力がディスクトレイ７に伝達される。
【００５１】
その後、ステップ８（ＳＴ８）で、図１４、図１７、図１８に示す位置（以下、このディスクトレイ７の位置を「着脱位置」という）までディスクトレイ７が搬送され、ステップ９（ＳＴ９）において、操作者がディスクトレイ７上に印刷対象となるＤＶＤディスク９を載置する。
【００５２】
その後、操作者がステップ１０（ＳＴ１０）にてディスクロージングスイッチ８を投入すると、ステップ１１（ＳＴ１１）においてディスクトレイ７はメインローラ３３の回転力により、図１９、図２０に示す位置（以下、このディスクトレイ７の位置を「印字開始位置」という）まで搬送される。
【００５３】
次にステップ１２（ＳＴ１２）において、図示しないセンサーによりディスクトレイ７上にＤＶＤディスク９が存在するか否かが判別され、ＤＶＤディスク９が存在しないと判断されればステップ２２（ＳＴ２２）に進んでディスクトレイ７が図２１に示す待機位置へ移動し、一方、ＤＶＤディスク９が存在すると判断されればステップ１３（ＳＴ１３）に進んで印刷の指示を行い、ステップ１４（ＳＴ１４）でＤＶＤディスク９への印刷を実行する。
【００５４】
ステップ１５（ＳＴ１５）でＤＶＤディスク９への印刷が終了したと判断されれば、ステップ１６（ＳＴ１６）でディスクトレイ７が着脱位置へ移動し、ステップ１７（ＳＴ１７）で操作者が印刷完了後のＤＶＤディスク９を取り出し、ステップ１８（ＳＴ１８）へと進む。
【００５５】
ステップ１８（ＳＴ１８）では、操作者が新たなＤＶＤディスク９をディスクトレイ７上に載置し、ステップ１９（ＳＴ１９）でディスクロージングスイッチ８を投入すると、ステップ２０（ＳＴ２０）でディスクトレイ７が図１９、図２０に示す印字開始位置へ搬送され、ステップ２１（ＳＴ２１）では図示しないセンサーによってディスクトレイ７上にＤＶＤディスク９が存在するか否かが検知、判断される。
【００５６】
ステップ２１（ＳＴ２１）でディスクトレイ７上にＤＶＤディスク９が存在すると判断されると、ステップ１３（ＳＴ１３）へ進み、前述のＤＶＤディスク９への印刷が実行される。
【００５７】
一方、ステップ２１（ＳＴ２１）でディスクトレイ７上にＤＶＤディスク９が存在しないと判断されると、ステップ２２（ＳＴ２２）へ進み、ディスクトレイ７がメインローラ３３とモータ４５の搬送力により図２１に示す待機位置へ搬送される。この待機位置への移動の際、ディスクトレイ７の端部７７がピンチローラ３１の下を通過すると、図示しないばねの押圧力によってピンチローラ３１は自動的に図２１に示す通常位置へと下降する。
【００５８】
その後、ステップ２３（ＳＴ２３）において、キャリッジ１７、ピックアップローラ２５、フィードローラ２７、拍車３５、３７が図示しないモータとリンク機構により、図５、図６、図９に示す普通紙印字高さに調整された後、ステップ２４（ＳＴ２４）にて待機状態となる。
【００５９】
以上説明したように、本発明の実施の形態によれば、操作者がＤＶＤディスク９を挿抜する時以外は、ディスクトレイ７はインクジェット記録装置１の内部に収納されているため、装置外部へ突出する部分がなく、更には、ＤＶＤディスク９の挿抜、ディスクロージングスイッチ８の操作、排紙の取り出し、給紙トレイ３の挿抜等、全ての操作をインクジェット記録装置１の主操作面において行なえるため、インクジェット記録装置１を家庭内のテレビラック等の中にコンパクトに収納することが可能となる。
【００６０】
尚、ピンチローラ３１の高さは、印刷対象物の厚さに応じて事前に設定しておいてもよいし、図示しないセンサにて印刷対象物の厚さを検知し、この厚さに応じてピンチローラ３１の高さを自動的に調節するようにしてもよい。
【００６１】
尚、本実施の形態における第一の記録媒体としてＤＶＤディスク９を例示したが、インクジェット記録装置１より小さなものであって、所定の形状を有するディスクトレイ７に載置されるものであれば他のものでもよく、例えば、ＣＤ等の光記録媒体、フレキシブルディスク等の磁気記録媒体、ＩＣカードや半導体メモリー等の電子記録媒体、クレジットカードやキャッシュカード等のプラスチックカード、名札ケース等の樹脂製固形物、アルミ板等の金属製固形物を第一の記録媒体として使用することができる。
【００６２】
【発明の効果】
以上のように本発明によると、インクジェット記録装置の前面における媒体保持板の突出状態と収納状態とを切り替える切り替えスイッチを設けると共に、切り替えスイッチ、媒体トレイ、媒体保持板への操作を全てインクジェット記録装置の前面にて全て行なうようにしたため、家庭内のテレビラック等のように収容物の前面にしか開口部がない場所にも設置が可能となる。
【００６３】
また、媒体トレイと媒体保持板は、各々略平行に設けられるため、インクジェット記録装置の高さ方向における小型化が可能となり、家庭内のテレビラック等の中にコンパクトに収納することができる。
【００６４】
また、媒体保持板は第一の搬送系により、第二の記録媒体は第二の搬送系により各々搬送されるため、第一の記録媒体への印刷と第二の記録媒体への印刷の切り替えが可能となる。
【００６５】
また、他の発明によれば、第一の搬送系と第二の搬送系は少なくとも１つの搬送ローラを共有するため、構成部品を増やすことなく装置の小型化が可能となる。
【００６６】
また、他の発明によれば、インクジェット記録装置に設けられたモータと、モータにより駆動されるピニオンと、ピニオンと噛合可能に媒体保持板に設けられたギアを設けるので、媒体保持板の外部への突出状態と収納状態を確実に切り替えることが可能となる。
【００６７】
また、他の発明によれば、第二の搬送系は第二の記録媒体を専ら搬送するフィードローラと拍車を備え、媒体保持板の搬送時にはフィードローラと拍車は媒体保持板と非接触となるように上昇し、第二の記録媒体の搬送時にはフィードローラと拍車は第二の記録媒体と接触するように下降する構成としたため、媒体保持板上の第一の記録媒体への印刷と第二の記録媒体への印刷をスムーズに切り替えることができる。
【００６８】
また、他の発明によれば、第一の搬送系および第二の搬送系は搬送ローラと対向するピンチローラを備え、媒体保持板が第一の方向へ搬送される場合において媒体保持板の搬送方向先端部が搬送ローラとピンチローラ間を通過する際に搬送ローラとピンチローラ間の距離を媒体保持板の厚さよりも大きくする構成としたので、媒体保持板が搬送ローラとピンチローラの間をスムーズに移動することが可能となる。
【００６９】
また、他の発明によれば、第一の記録媒体および第二の記録媒体と記録ヘッドとの距離を常に一定に保持する構成としたため、種々の厚みを有する複数種類の記録媒体への対応を、操作者の手を煩わせることなく行なえるという効果を奏する。
【００７０】
また、他の発明によれば、媒体保持板と媒体トレイは、少なくとも記録ヘッドによる印刷開始時にはインクジェット記録装置の内部に完全に収納される構成としたので、記録媒体への印刷時には媒体保持板と媒体トレイがインクジェット記録装置の外部に突出することはなく、従って、印刷開始時にインクジェット記録装置の外部へ突出する部材をなくすことができると共に、操作者が外部から他の部材を取り付けたりする手間を省くことが可能となる。
【図面の簡単な説明】
【図１】本発明の実施の形態におけるインクジェット記録装置の外観を示す正面斜視図
【図２】本発明の実施の形態におけるインクジェット記録装置のディスクトレイが着脱位置にある場合の外観を示す正面斜視図
【図３】本発明の実施の形態におけるインクジェット記録装置の給紙トレイを引き出した場合の外観を示す正面斜視図
【図４】本発明の実施の形態におけるインクジェット記録装置の要部を示す要部斜視図
【図５】本発明の実施の形態の待機位置におけるインクジェット記録装置内部の構成を示す上面図
【図６】図５のＡ−Ａ断面図
【図７】図５のＦ−Ｆ断面図
【図８】本発明の実施の形態におけるインクジェット記録装置のトレイガイド、ディスクトレイ、ＤＶＤディスクとの関係を示す部分拡大図
【図９】本発明の実施の形態の待機位置におけるインクジェット記録装置内部の構成を示す要部拡大図
【図１０】本発明の実施の形態のＳＴ３におけるインクジェット記録装置内部の構成を示す要部拡大図
【図１１】本発明の実施の形態のＳＴ４におけるインクジェット記録装置内部の構成を示す要部拡大図
【図１２】本発明の実施の形態のＳＴ６におけるインクジェット記録装置内部の構成を示す要部拡大図
【図１３】本発明の実施の形態のＳＴ７におけるインクジェット記録装置内部の構成を示す要部拡大図
【図１４】本発明の実施の形態のＳＴ８におけるインクジェット記録装置内部の構成を示す要部拡大図
【図１５】本発明の実施の形態のＳＴ７におけるインクジェット記録装置内部の構成を示す上面図
【図１６】図１５のＢ−Ｂ断面図
【図１７】本発明の実施の形態の着脱位置におけるインクジェット記録装置内部の構成を示す上面図
【図１８】図１７のＣ−Ｃ断面図
【図１９】本発明の実施の形態の印字開始位置（ＳＴ１１）におけるインクジェット記録装置内部の構成を示す上面図
【図２０】図１９のＤ−Ｄ断面図
【図２１】本発明の実施の形態のＳＴ２２におけるインクジェット記録装置内部の構成を示す要部拡大図
【図２２】本発明の実施の形態における給紙時の状態を示す上面図
【図２３】図２２のＥ−Ｅ断面図
【図２４】本発明の実施の形態におけるインクジェット記録装置の作動を説明するためのフローチャート
【符号の説明】
３　給紙トレイ
７　ディスクトレイ（媒体保持板）
８　ディスクロージングスイッチ（切り替えスイッチ）
９　ＤＶＤディスク（第一の記録媒体）
１３　記録用紙（第二の記録媒体）
１９　記録ヘッド
２７　フィードローラ
３１　ピンチローラ
３３　メインローラ（搬送ローラ）
３５　拍車
３７　拍車
４３　ギア
４５　モータ
４７　ピニオン
【図１】
2004058297.tif 000003
【図２】
2004058297.tif 000004
【図３】
2004058297.tif 000005
【図４】
2004058297.tif 000006
【図５】
2004058297.tif 000007
【図６】
2004058297.tif 000008
【図７】
2004058297.tif 000009
【図８】
2004058297.tif 000010
【図９】
2004058297.tif 000011
【図１０】
2004058297.tif 000012
【図１１】
2004058297.tif 000013
【図１２】
2004058297.tif 000014
【図１３】
2004058297.tif 000015
【図１４】
2004058297.tif 000016
【図１５】
2004058297.tif 000017
【図１６】
2004058297.tif 000018
【図１７】
2004058297.tif 000019
【図１８】
2004058297.tif 000020
【図１９】
2004058297.tif 000021
【図２０】
2004058297.tif 000022
【図２１】
2004058297.tif 000023
【図２２】
2004058297.tif 000024
【図２３】
2004058297.tif 000025
【図２４】
2004058297.tif 000026